(57)【特許請求の範囲】
【請求項１】
相手側接続体（２）を装着する装着孔（１５）を包含するハウジング（１０）と、
相手側接続体（２）の電極（２１，２２）に自らの弾性力によって接続する金属導体のコンタクト（１２，１３）からなる、基板（３）に実装されるコネクタ（１）であって、
コンタクト（１２，１３）は、ハウジング（１０）に保持される固定部（１２ａ，１３ａ）と、固定部（１２ａ，１３ａ）に連なる少なくとも二つに分岐した第一弾性接触部（１２ｄａ，１３ｄａ）と第二弾性接触部（１２ｄｂ，１３ｄｂ）を有し、
第一弾性接触部（１２ｄａ，１３ｄａ）は、相手側接続体（２）の電極（２１，２２）に接続する接触部（１２ｄａ１，１３ｄａ１）と、先端が基板（３）に臨んだ基板付勢部（１２ｄａ２，１３ｄａ２）とからなり、
第二弾性接触部（１２ｄｂ，１３ｄｂ）は、相手側接続体（２）の電極（２１，２２）に接続する接触部（１２ｄｂ１，１３ｄｂ１）とからなり、
相手側接続体（２）を装着した時に、
第一弾性接触部（１２ｄａ，１３ｄａ）は、変位によって基板付勢部（１２ｄａ２，１３ｄａ２）が基板（３）を付勢する一端固定・他端支持の梁構造とし、
第二弾性接触部（１２ｄｂ，１３ｄｂ）は、変位しても先端が自由端の一端固定・他端自由端の梁構造とすることで、
第一弾性接触部（１２ｄａ，１３ｄａ）の固有振動数を、第二弾性接触部（１２ｄｂ，１３ｄｂ）の固有振動数と異ならせたことを特徴とするコネクタ。
【請求項２】
コンタクト（１３）は第三弾性接触部（１３ｄｃ）を有し、
第一弾性接触部（１３ｄａ）と第二弾性接触部（１３ｄｂ）と第三弾性接触部（１３ｄｃ）は、コンタクト（１３）の中心線に対して対称形状になることを特徴とする請求項１記載のコネクタ。
【請求項３】
コンタクト（１２，１３）は、固定部（１２ａ，１３ａ）に連設された実装部（１２ｂ，１３ｂ）を有し、
基板（３）は、実装部（１２ｂ，１３ｂ）に接続される第一電極（４１）と、基板付勢部（１２ｄａ２，１３ｄａ２）が接続する第二電極（４２）を有し、
コンタクト（１２，１３）を介して相手側接続体（２）の電極（２１，２２）と第一電極（４１）が接続され、
第一弾性接触部（１２ｄａ，１３ｄａ）を介して相手側接続体（２）の電極（２１，２２）と第二電極（４２）が接続されて、
第一電極（４１）と第二電極（４２）の回路が閉じることで相手側接続体（２）の装着を検出することを特徴とする請求項１、２記載のコネクタ。
【発明の詳細な説明】
【技術分野】
【０００１】
この発明は、主にスイッチ端子などの電気コネクタのコンタクトの電気的接触の安定性を図る接触構造に関する。
【背景技術】
【０００２】
従来、カードコネクタの装着を検知するために装着されたカードに共動し、カードを検出する回路に接離自在なスイッチコンタクトが用いられている。このスイッチコンタクトは、ハウジングに一端が固定され、他端は固定端子に弾性接触可能に配置されていた。
【０００３】
例えば特開２００６−３２４０４３号では、ハウジングに固定された固定端子に所定間隔を隔てて臨む可動端子４が配置されている。
【特許文献１】特開２００６−３２４０４３号公報
【発明の開示】
【発明が解決しようとする課題】
【０００４】
しかし、上記の場合、可動端子は片持ちバネによる一点接触となるので、可動端子の固有振動数と同じ振動や衝撃が加えられた場合は共振してしまい、可動端子が固定端子から瞬間的に離れてしまう瞬断が起こることがある。こうなると、カードを装着しているのにも関わらずアクセスが強制的に中断されるなどの不具合が起こる虞があった。
【０００５】
この発明は、上記従来技術の問題に鑑みて成されたもので、確実な接続状態を保つことができるコンタクトの接触構造を提供することを目的とする。
【課題を解決するための手段】
【０００６】
請求項１記載の発明は、相手側接続体を装着する装着孔を包含するハウジングと、相手側接続体の対応する電極に自らの弾性力によって接続する金属導体から成るコンタクトとから成り、基板に実装されるコネクタであって、コンタクトは、ハウジングに保持される固定部と、固定部に連なる少なくとも二つに分岐した第一、第二の弾性接触部を有し、第一弾性接触部は、装着孔に突出し装着された相手側接続体の電極を付勢して接続する接触部と、先端が基板に臨み、装着された相手側接続体に付勢された接触部の変位によって基板を付勢する基板付勢部とからなり、第二弾性接触部は、装着孔に突出して装着された相手側接続体の電極を付勢して接続する接触部と、装着された相手側接続体に付勢された接触部が変位しても先端が自由端とするものである。
これによって、第一弾性接触部を一端固定・他端支持構造の梁構造にし、第二弾性接触部を一端固定・他端自由端の梁構造に近似させるので、第一弾性接触部の固有振動数を第二弾性接触部の固有振動数より数倍にする。
【０００７】
請求項２記載の発明は、弾性変形部は先端に、少なくとも三つに分岐した弾性接触部を有し、第一と第二の弾性接触部以外の弾性接触部は、第一弾性接触部または第二弾接触部のいずれかと同じ形状を有し、少なくとも三つに分岐した弾性接触部が中心に対して対称形状にするものである。
これにより、弾性接触部の中心に対して対称な形状にするので、相手側接続体の装着に起因する負荷分布が弾性接触部の中心に対して対称に分布させる。
【０００８】
請求項３記載の発明は、コンタクトは、固定部に連設され、基板の電極に接続される実装部を有し、コンタクトを介して相手側接続体の電極と基板の電極を接続するものである。
これにより、コンタクトを介して相手側接続体の電極と基板の電極を接続することができる。
【０００９】
請求項４記載の発明は、基板付勢部は基板の電極を付勢して接続し、コンタクトを介して相手側接続体の電極と基板の電極を接続するものである。
これにより、基板付勢部が基板の電極を接続し、コンタクトを介して相手側接続体の電極と基板の電極を接続することができる。
【００１０】
請求項５記載の発明は、相手側接続体の電極と基板の電極は、相手側接続体の装着を検知する回路を成し、コンタクトを介して相手側接続体の電極と基板の電極がコンタクトが接続されることによって回路が閉じて相手側接続体の装着を検出するものである。
これにより、相手側接続体の電極と基板の電極は、挿手側接続体の装着を検出する回路を形成することができる。
【発明の効果】
【００１１】
本発明のコネクタは、請求項１記載の発明によれば、第一の弾性接触部の固有振動数を第二の弾性接触部に比べて大幅に高くするので、振動数が連続的に変化するもしくは不連続でもほぼ一定である衝撃が与えられた場合、いずれかが確実に共振しないので、瞬断を防ぐことができる。
【００１２】
請求項２記載の発明によれば、コンタクトのねじれを防ぐことができ、接触部の接触状態を良好にすることができる。
【００１３】
請求項３記載の発明によれば、相手側接続体と基板を接続することができる。
【００１４】
請求項４記載の発明によれば、コンタクトに半田付けをする実装部を設けなくとも相手側接続体と基板を接続することができる。
【００１５】
請求項５記載の発明によれば、コンタクトを介して相手側接続体の装着を検出することができる。
【発明を実施するための最良の形態】
【００１６】
以下にこの発明を用いたコネクタの実施形態について述べる。
【実施例１】
【００１７】
まず、第一実施形態の構成について、図１〜図７を基にして説明する。
【００１８】
この実施形態におけるコネクタ１は、絶縁性樹脂から成り、カード２を収納する装着孔１５を包含し、一体成形でプレート１１を保持するハウジング１０と、該ハウジング１０に一体成形で埋め込まれ、装着されたカード型電子記憶媒体２の複数の電極２１，２１、・・・に自らの弾性力によって各々接続するコンタクト１２，１２、・・・と、前記カード２の装着を検出するスイッチコンタクト１３とから成る。ハウジング１０は更に、平面側の一端にあるプレート１１の一部である軸受部１１ｂに軸１４ａを回動、並行移動自在に係合させたシールドカバー１４とを有し、図１にある様な閉じた状態におけるシールドカバー１４とハウジング１０の間が、カード２を収納できる装着孔１５である。
コンタクト１２は、装着孔１５に突出した状態で装着孔１５に臨んでおり、装着されたカード２の電極２１と各々弾性接触し接続することができる。カード検出回路４は、コネクタが実装される基板３に設けられる第一電極４１と、第二電極４２であるカード２に設けられたスイッチ用電極２２とからなり、装着されたカード２に共動したスイッチコンタクト１３が第一電極４１と第二電極４２に電気的に接続すると、カード検出回路４は繋がり、カード２の装着が検出される。
【００１９】
本コネクタ１０の使用とその機能について説明する。
基板３に実装されたコネクタ１は、コンタクト１２の実装部１２ｂ及びプレート１１の固定部１１ａを各々半田付けにより基板３に接続する。スイッチコンタクト１３は対応する第一電極４１に各々接続されている。
次に、ハウジング１０の上面を覆うように配置されたシールドカバー１４を開ける。
正面図において底面側から平面側に向かってシールドカバー１４をスライドすると、ハウジング１０の被係止部１０ａがシールドカバー１４に設けられた係止部１４ｂの上下方向の変位を規制していた係止関係が解除される。更にシールドカバー１４の軸１４ａの反対側に位置する底面側の端部１４ｃを上に引き上げると、軸１４ａ周りに上方に回動して、シールドカバー１４が開く。
次に、カード２をコネクタに装着する。
カード２を、ハウジング１０に周囲を覆われて形成された装着孔１５に合わせて所定の位置に載置する。シールドカバー１４の軸１４ａの反対側に位置する先端の端部１４ｃを下方に倒すと、シールドカバー１４の軸１４ａ周りに下方に回動して、シールドカバー１４がカード２の上に位置する。シールドカバー１４をわずかに下方に押し込みながら正面図において平面側から底面側に向かって平行移動させると、シールドカバー１４の鉤状の係止部１４ｂの先端がハウジング１０の鉤状の被係止部１０ａの先端の下方に入りこみ、係止部１４ｂの根元が被係止部１０ａの先端に当接して、装着作業が完了する。
【００２０】
この時、シールドカバー１４とコンタクト１２の間に挟持されたカード２は、各々の電極２１とコンタクト１２が適切に弾性接触して接続された状態になり、コンタクト１２が接続された基板３の各々の電極３１とカード２の各々の電極２１が接続され、基板３に設けられたカード２の装着を検出するカード検出回路４の第一の電極４１に接続されたスイッチコンタクト１３は、カード２の検出回路の第二の電極４２であるカード２のスイッチ用電極２２に弾性接触することで、カード検出回路４が閉じ、カード２の装着を検出する。
【００２１】
スイッチコンタクト１３は、金属板材を打ち抜き折曲加工したものであって、ハウジング１０に埋め込まれて固定される固定部１３ａと、該固定部１３ａの一端から下方に屈曲して延出し、基板３のカード検出回路４に半田付けなどで接続される実装部１３ｂと、該固定部１３ａの他端から固定部１３ａと同じ幅で水平にのび、更に約２５度でなだらかに立ち上がり、その先端側の幅が約２．８倍に拡張させた弾性変形部１３ｃと、該弾性変形部１３ｃの先端に設けられたする二又状の弾性接触部１３ｄとから成る。二又弾性接触部１３ｄは、第一弾性接触部１３ｄａと、第二弾性接触部１３ｄｂとから成り、両方の接触部１３ｄａ１、１３ｄｂ１が、共にカードに自らの弾性力によってカード２に弾性接触するものである。
第一弾性接触部１３ｄａは、装着孔１５に突出し、弾性変形部１３ｃ側の端部からほぼ水平に延び、わずかに波打つ湾曲形状を有する接触部１３ｄａ１と、該接触部１３ｄａ１から約４５度下がって基板３に略平行に臨ませた基板付勢部１３ｄａ２とから成っている。
第二弾性接触部１３ｄｂは、弾性変形部１３ｃ側の端部から約１５度で立ち上がり、その端部に更に弧を描いて立ち上がる接触部１３ｄｂ１が形成されている。接触部１３ｄｂ１は、装着孔１５の約３／5ぐらいの高さに位置する。第二弾性接触部１３ｄｂの接触部１３ｄｂ１は、第一弾性接触部１３ｄａの接触部１３ｄａ１より高位にして第一弾性接触部１３ｄａより撓み量を多くし、カード装着時に、後述する一端固定・他端支持の梁構造とみなせる第一弾性接触部１３ｄａのばね定数が高くなるので、両方の付勢力を同等にしている。
【００２２】
載置されたカード２は、まず第二弾性接触部１３ｄｂの接触部１３ｄｂ１を自らの重みで下方に付勢し、閉じられたシールドカバー１４によって更にカード２が下方に変位する。この時、下方に変位したカード２のスイッチ用電極２２によって第一、第二弾性接触部１３ｄａ、１３ｄｂの接触部１３ｄａ１、１３ｄｂ１がともに下方に付勢され、第一、第二弾性接触部１３ｄａ、１３ｄｂが共に下方に撓み、第一弾性接触部１３ｄａの基板付勢部１３ｄａ２のみが下方に撓んだ分の弾性力で基板３を付勢し、第二弾性接触部１３ｄｂの先端は、他の部材に当接することなく自由端となる。
よって、第一弾性接触部１３ｄａと第二弾性接触部１３ｄｂの各接触部１３ｄａ１、１３ｄｂ１が、カード２のスイッチ用電極２２を付勢するカード装着時には、第一弾性接触部１３ｄａ及び第二弾性接触部１３ｄｂの接触部１３ｄａ１、１３ｄｂ１は、第二電極４２であるカード２のスイッチ用電極２２に接続し、第一弾性接触部１３ｄａの基板付勢部１３ｄａ２は、基板３の第一電極４１と接続するので、第一電極４１と第二電極４２がスイッチコンタクト１３を介して接続され、カード検出回路４が閉じカード装着の検出が成される。
【００２３】
また、接触部１３ｄａ１、１３ｄｂ１がカード２を付勢するカード装着時には、第一弾性接触部１３ｄａは、固定部１３ａ側端部がハウジング１０に固定されており、第一弾性接触部１３ｄａの先端にある基板付勢部１３ｄａ２は基板３を弾性付勢しているので、一端固定・他端支持の梁の弾性変形構造とみなすことができ、第二弾性接触部１３ｄｂは、固定部１３ａ側端部がハウジング１０に固定されており、第二弾性接触部１３ｄｂの先端は自由端になっているので、一端固定の片持梁の弾性変形構造とみなすことができる。したがって、二又の弾性接触部１３ｄは、第一弾性接触部１３ｄａの固有振動数が、第二弾性接触部１３ｄｂの固有振動数より約３倍にすることができるので、一定時間の間、振動数がほぼ一定で振幅減衰させる単発の衝撃が加えられても、第一弾性接触部１３ｄａと第二弾性接触部１３ｄｂの固有振動数が大幅に異なるので、確実にどちらかは共振せずに接触を続け、結果として瞬断を防ぐことができる。
【００２４】
これは、一端固定・他端単純支持とみなせる第一弾性接触部１３ｄａのばね乗数は、一端固定・他端自由端である第二弾性接触部１３ｄｂのばね乗数の約１１倍となり、固有振動数の因子であるばね乗数の１／２条よって固有振動数は約３．２となり、固有振動数を大幅に変えることができている。
第一弾性接触部１３ｄａの固有振動数を計算値の通り第二弾性接触部１３ｄｂの約３．２倍にするには、本実施例における固定部１３ａと二又の弾性接触部１３ｄの間の弾性変形部１３ｃを無くし、ハウジング１０に固定させた固定部１３ａに直接、二又弾性接触部１３ｄを連設させれば良い。
【実施例２】
【００２５】
第二の実施例としては、前述の第一実施例と異なる構造について以下に説明し、重複する説明は省略する。
第一実施例と異なる第二実施例の特徴は、コネクタ１のカード２の装着を検出するカード検出回路４の第二電極４２を、カード２に設けずに第一弾性接触部１３ｄａの基板付勢部１３ｄａ２が臨む部位に設ける。
【００２６】
コネクタ及びスイッチコンタクト１３の構造は第一実施例に開示されたものと同じなので、以下に使用状態について説明する。
装着孔１５に載置されたカード２は、まず第二弾性接触部１３ｄｂの接触部１３ｄｂ１を自らの重みで下方に付勢し、閉じられたシールドカバー１４によって更にカード２が下方に変位する。この時、下方に変位したカード２によって第一、第二弾性接触部１３ｄａ、１３ｄｂの接触部１３ｄａ１、１３ｄｂ１がともに下方に付勢され、第一、第二弾性接触部１３ｄａ、１３ｄｂが下方に撓み、第一弾性接触部１３ｄａの基板付勢部１３ｄａ２は下方に撓んだ分の弾性力によって基板３のカード検出回路４の第二電極４２上をカード挿入方向に摺接して付勢する。
よって、第一弾性接触部１３ｄａと第二弾性接触部１３ｄｂの各接触部１３ｄａ１、１３ｄｂ１が、カード２を付勢するカード装着時には、第一弾性接触部１３ｄａ及び第二弾性接触部１３ｄｂの接触部１３ｄａ１、１３ｄｂ１は、カード２を付勢し、第一弾性接触部１３ｄａの基板付勢部１３ｄａ２は基板３の第二電極４２と接続するので、スイッチコンタクト１３の実装部１３ｂと接続された第一電極４１と第二電極４２がスイッチコンタクト１３を介して接続され、カード検出回路４が閉じ、カード装着の検出が成されよって、カードの装着時には、第一弾性接触部は、弾性変形部の固定部側端部がハウジングに固定されており、第一弾性接触部の先端にある基板付勢部は基板を弾性付勢しているので、一端固定・他端支持の梁の弾性変形構造とみなすことができ、第二弾性接触部は、弾性変形部の固定部側端部がハウジングに固定されており、第二弾性接触部の先端は自由端になっているので、一端固定の片持梁の弾性変形構造とみなすことができる。したがって、二又弾性接触部は、第一弾性接触部の固有振動数が、第二弾性接触部の固有振動数より約A倍る。
よって、カード２にカード検出回路４の電極を設けなくても、本実施例のスイッチコンタクト１３を用いれば、カード２の検出を簡易に実現することができる。
【実施例３】
【００２７】
次に第三実施例について説明する。
第一実施例と異なる構造は、図８にあるとおり、スイッチコンタクト１３の実装部１３ｂが無く、カード検出回路４の第一電極４１としてカード２にあるスイッチ用電極２２と、スイッチコンタクト１３の基板付勢部１３ｄａ２が臨む部位に第二電極４２を設けている。
カード２を装着した際、シールドカバー１４とコンタクト１２の間に挟持されたカード２は、各々の電極２１とコンタクト１２が適切に弾性接触して接続された状態になり、カード２に設けられた第一電極４１に接続されたスイッチコンタクト１３は、カード２の検出回路４の第一の電極であるカード２のスイッチ用電極２２に弾性接触することで、スイッチコンタクト１３を介してカード検出回路４が閉じ、カード２の装着を検出する。
【００２８】
スイッチコンタクト１３は、金属板材を打ち抜き折曲加工したものであって、ハウジング１０に埋め込まれて固定される固定部１３ａと、該固定部１３ａの一端から固定部１３ａと同じ幅で水平にのび、更に約２５度でなだらかに立ち上がり、その先端側の幅が約２．８倍に拡張させた弾性変形部１３ｃと、該弾性変形部１３ｃの先端に設けられたする二又状の弾性接触部１３ｄとから成る。二又弾性接触部１３ｄは、第一弾性接触部１３ｄａと、第二弾性接触部１３ｄｂとから成り、両方の接触部１３ｄａ１、１３ｄｂ１が、共にカードに自らの弾性力によってカード２に弾性接触するものである。
第一弾性接触部１３ｄａは、装着孔１５に突出し、弾性変形部１３ｃ側の端部からほぼ水平に延び、わずかに波打つ湾曲形状を有する接触部１３ｄａ１と、該接触部１３ｄａ１から約４５度下がって基板３に略平行に臨ませた基板付勢部１３ｄａ２とから成っている。
第二弾性接触部１３ｄｂは、弾性変形部１３ｃ側の端部から約１５度で立ち上がり、その端部に更に弧を描いて立ち上がる接触部１３ｄｂ１が形成されている。接触部１３ｄｂ１は、装着孔１５の約３／5ぐらいの高さに位置する。第二弾性接触部１３ｄｂの接触部１３ｄｂ１は、第一弾性接触部１３ｄａの接触部１３ｄａ１より高位にして第一弾性接触部１３ｄａより撓み量を多くし、カード装着時に、後述する一端固定・他端支持の梁構造とみなせる第一弾性接触部１３ｄａのばね定数が高くなるので、両方の付勢力を同等にしている。
【００２９】
載置されたカード２は、まず第二弾性接触部１３ｄｂの接触部１３ｄｂ１を自らの重みで下方に付勢し、閉じられたシールドカバー１４によって更にカード２が下方に変位する。この時、下方に変位したカード２のスイッチ用電極２２によって第一、第二弾性接触部１３ｄａ、１３ｄｂの接触部１３ｄａ１、１３ｄｂ１がともに下方に付勢され、第一、第二弾性接触部１３ｄａ、１３ｄｂが共に下方に撓み、第一弾性接触部１３ｄａの基板付勢部１３ｄａ２は下方に撓んだ分の弾性力で第二電極４２を付勢し、第二弾性接触部１３ｄｂの先端は、他の部材に当接することなく自由端となる。
よって、第一弾性接触部１３ｄａと第二弾性接触部１３ｄｂの各接触部１３ｄａ１、１３ｄｂ１が、カード２を付勢するカード２装着時には、第一弾性接触部１３ｄａ及び第二弾性接触部１３ｄｂの接触部１３ｄａ１、１３ｄｂ１は、第一電極４１であるカード２のスイッチ用電極２２に接続し、第一弾性接触部１３ｄａの基板付勢部１３ｄａ２は基板３の第二電極４２と接続するので、第一電極４１と第二電極４２がスイッチコンタクト１３を介して接続され、カード検出回路４が閉じカード２装着の検出が成される。
また、接触部１３ｄａ１、１３ｄｂ１がカード２をを付勢するカード装着時には、第一弾性接触部１３ｄａは、弾性変形部の固定部１３ａ側端部がハウジング１０に固定されており、第一弾性接触部１３ｄａの先端にある基板付勢部１３ｄａ２は基板３を弾性付勢しているので、一端固定・他端支持の梁の弾性変形構造とみなすことができ、第二弾性接触部１３ｄｂは、弾性変形部の固定部１３ａ側端部がハウジング１０に固定されており、第二弾性接触部１３ｄｂの先端は自由端になっているので、一端固定の片持梁の弾性変形構造とみなすことができる。したがって、二又の弾性接触部１３ｄは、第一弾性接触部１３ｄａの固有振動数が、第二弾性接触部１３ｄｂの固有振動数より約３倍とすることができるので、一定時間の間、振動数がほぼ一定で振幅減衰させる単発の衝撃が加えられても、第一弾性接触部１３ｄａと第二弾性接触部１３ｄｂの固有振動数が大幅にずれているので、確実にどちらかは共振せずに接触を続け、結果として瞬断を防ぐことができる。
更に本実施例は、スイッチコンタクト１３の実装部１３ｂを設ける必要が無く半田付けをしなくても、カード検出回路４を形成することができる。
【実施例４】
【００３０】
次に第四実施例は、第一実施例と異なり、コンタクト１２の弾性接触部が二又ではなく、三又になった三又弾性接触部１３ｅである。以下に図１０（ｃ）に表れる第一実施例との異なる構造について第四実施例の説明をする。
【００３１】
スイッチコンタクト１３は、金属板材を打ち抜き折曲加工したものであって、ハウジング１０に埋め込まれて固定される固定部１３ａと、該固定部１３ａの一端から下方に屈曲して延出し、基板３のカード検出回路４に半田付けなどで接続される実装部１３ｂと、該固定部１３ａの他端から固定部１３ａと同じ幅で水平にのび、更に約２５度でなだらかに立ち上がり、その先端側の幅が約１．８倍に拡張させた弾性変形部１３ｃと、該弾性変形部１３ｃの先端に設けられた三又状の弾性接触部１３ｅとから成る。三又弾性接触部１３ｅは、第一弾性接触部１３ｄａと、第二弾性接触部１３ｄｂと、第三弾性接触部１３ｄｃから成り、これらの接触部１３ｄａ１、１３ｄｂ１、１３ｄｃが、共にカードに自らの弾性力によってカード２に弾性接触するものである。
第一弾性接触部１３ｄａ及び第三弾性接触部１３ｃは、装着孔１５に突出し、弾性変形部１３ｃ側の端部からほぼ水平に延び、わずかに波打つ湾曲形状を有する接触部１３ｄａ１、１３ｄｃ１と、該接触部１３ｄａ１、１３ｄｃ１から約４５度下がって基板３に略平行に臨ませた基板付勢部１３ｄａ２、１３ｄｃ２とからそれぞれ構成されている。
第二弾性接触部１３ｄｂは、弾性変形部１３ｃ側の端部から約１５度で立ち上がり、その端部に更に弧を描いて立ち上がる接触部１３ｄｂ１が形成されている。この接触部１３ｄｂ１は、装着孔１５の約３／5ぐらいの高さに位置する。第二弾性接触部１３ｄｂの接触部１３ｄｂ１は、第一弾性接触部１３ｄａ及び第三弾性接触部１３ｄｃの接触部１３ｄａ１、１３ｄｃ１より高位にして第一弾性接触部１３ｄａ及び第三弾性接触部１３ｄｃより撓み量を多くし、カード装着時に、後述する一端固定・他端支持の梁構造とみなせる第一、第三弾性接触部１３ｄａ、１３ｄｃのばね定数が高くなるので、第一、第二、第三の接触部１３ｄａ１，１３ｄｂ１，１３ｄｃ１の付勢力を同等にしている。
【００３２】
載置されたカード２は、まず第二弾性接触部１３ｄｂの接触部１３ｄｂ１を自らの重みで下方に付勢し、閉じられたシールドカバー１４によって更にカード２が下方に変位する。この時、下方に変位したカード２のスイッチ用電極２２によって第一、第二、第三の弾性接触部１３ｄａ、１３ｄｂ、１３ｄｃの接触部１３ｄａ１、１３ｄｂ１、１３ｄｃ１がともに下方に付勢され、第一、第三の弾性接触部１３ｄａ、１３ｄｃの基板付勢部１３ｄａ２、１３ｄｃ２は下方に撓んだ分の弾性力で基板３を付勢する。
よって、第一弾性接触部１３ｄａと第二弾性接触部１３ｄｂと第三弾性接触部１３ｄｃの各接触部１３ｄａ１、１３ｄｂ１、１３ｄｃ１が、カード２を付勢するカード装着時には、第一、第二、及び第三の弾性接触部１３ｄａ，１３ｄｂ，１３ｄｃの接触部１３ｄａ１、１３ｄｂ１、１３ｄｃ１は、第二電極４２であるカード２のスイッチ用電極２２に接続し、第一電極４１と実装部１３ｂが接続されているので、第一電極４１と第二電極４２がスイッチコンタクト１３を介して接続され、カード検出回路４が閉じカード２の装着の検出が成される。
第一、第二、第三の弾性接触部１３ｄａ，１３ｄｂ，１３ｄｃの各接触部１３ｄａ１、１３ｄｂ１、１３ｄｃ１がカード２を付勢するカード装着時には、第一、第三の弾性接触部１３ｄａ、１３ｄｃは、固定部１３ａ側端部がハウジング１０に固定されており、先端にある基板付勢部１３ｄａ２，１３ｄｃ２は基板３を弾性付勢しているので、一端固定・他端支持の梁の弾性変形構造とみなすことができ、第二弾性接触部１３ｄｂは、固定部１３ａ側端部がハウジング１０に固定されており、先端は自由端になっているので、一端固定の片持梁の弾性変形構造をなっている。したがって、三又弾性接触部１３ｅは、第一弾性接触部１３ｄａと第三弾性接触部１３ｄｃの固有振動数が、第二弾性接触部１３ｄｂの固有振動数より約３倍とすることができるので、振動数がほとんど変化せずに振幅が減衰しながら一定時間振動する単発の衝撃が加えられても、第一弾性接触部１３ｄａ（もしくは第三男性弾性接触部）と第二弾性接触部１３ｄｂの固有振動数が大幅に異なるので、確実にどれか共振せずに接触を続け、結果として瞬断を防ぐことができる。
また、三又弾性接触部１３ｅは、第二弾性接触部第二弾性接触部１３ｄｂが配置された中心に対してに対して対象に同一形状の第一弾性接触部１３ｄａと第三接触部を対称に配置することで有して、三又弾性接触部１３ｅを中心に対して対称形状にしているので、第一、第二、第三弾性接触部１３ｄａ、１３ｄｂ、１３ｄｃへの負荷が中心に配置された第二弾性接触部１３ｄｂに対して対称に分布させることができ、コンタクト１２のねじれを防ぐことができる。
また、本実施例に限らず、第一弾性接触部が一端固定・他端支持の弾性接触部を一つにし、一端固定で他端は自由端の弾性接触部の第二弾性接触部を二つにしてもでも良く、その分岐した弾性接触部１３ｅの中心に対して対象な形状になる様にこれらの第一から第三の弾性接触部を配置すれば良い。また、弾性接触部が四又以上にしても同様に本発明を実施することができる。例えば、中央の2つを一端固定他端支持にし、その外側に並ぶ2つを一端固定で他端を自由端にすれば良い。
もちろん、スイッチコンタクト１３のねじれが接触接触に状態に影響をほとんど与えなければ、三又弾性接触部１３ｅを対象形状にしなくても良い。
【実施例５】
【００３３】
また、第五実施例は、本発明の瞬断防止構造をスイッチコンタクト１３ではなく通常の電気コンタクト１２に用いたものであり、図１０（ａ）を用いて以下に説明する。
この実施形態におけるコネクタ１は、各部品を保持し装着孔１５を包含する絶縁性樹脂から成るハウジング１０と、該ハウジング１０とほぼ同一の面積を成し、ハウジング１０に一体成形で埋め込まれたプレート１１と、該ハウジング１０に一体成形で埋め込まれ、装着されたカード型電子記憶媒体２の複数の電極２１，２１、・・・に各々接続されるコンタクト１２，１２、・・・とから成る。ハウジング１０は、平面側端部に回動、並行移動自在に係合されたシールドカバー１４とから成る。図１にある様な閉じた状態におけるシールドカバー１４とハウジング１０の間が、カード２を収納できる装着孔１５である。コンタクト１２は、装着孔１５に突出した状態で装着孔１５に臨んでおり、装着されたカード２の電極２１と各々弾性接触し接続することができる。
【００３４】
本コネクタ１０の使用とその機能について説明する。
まずハウジング１０の上面を覆うように配置されたシールドカバー１４を開ける。
正面図において底面側から平面側に向かってシールドカバー１４をスライドすると、ハウジング１０の被係止部１０ａがシールドカバー１４に設けられた係止部１４ｂの上下方向の変位を規制していた係止関係が解除される。更にシールドカバー１４の軸１４ａの反対側に位置する底面側の端部１４ｃを上に引き上げると、軸１４ａ周りに上方に回動して、シールドカバー１４が開く。
次に、カード２をコネクタに装着する。
カード２を、ハウジング１０に周囲を覆われて形成された装着孔１５に合わせて所定の位置に載置する。シールドカバー１４の軸の反対側に位置する先端部を下方に倒すと、シールドカバー１４の軸周りに下方に回動して、シールドカバー１４がカード２の上に位置する。シールドカバー１４をわずかに下方に押し込みながら正面図において正面側から底面側に向かって平行移動させると、シールドカバー１４の係止部がハウジング１０の被係止部１０ａの下方に入りこみ、係止部が被係止部１０ａの底面側の壁面に当接して、装着作業が完了する。
【００３５】
コンタクト１２は、金属板材を打ち抜き折曲加工したものであって、ハウジング１０に埋め込まれて固定される固定部１２ａと、該固定部１２ａの一端から下方に屈曲して延出し、基板３のカード検出回路４に半田付けなどで接続される実装部１２ｂと、該固定部１２ａの他端から固定部１２ａと同じ幅で水平にのび、更に約２５度でなだらかに立ち上がり、その先端側の幅が約２．８倍に拡張させた弾性変形部１２ｃと、該弾性変形部１２ｃの先端に連接設けられたする二又状の弾性接触部１２ｄとから成る。二又弾性接触部１２ｄは、第一弾性接触部１２ｄａと、第二弾性接触部１２ｄｂとから成り、両方の接触部１２ｄａ１、１２ｄｂ１が、共にカードに自らの弾性力によってカード２に弾性接触するものである。
第一弾性接触部１２ｄａは、装着孔１５に突出し、弾性変形部１２ｃ側の端部からほぼ水平に延び、わずかに波打つ湾曲形状を有する接触部１２ｄａ１と、該接触部１２ｄａ１から約４５度下がって基板３に略平行に臨ませた基板付勢部１２ｄａ２とから成っている。
第二弾性接触部１２ｄｂは、弾性変形部１２ｃ側の端部から約１５度で立ち上がり、その端部に更に弧を描いて立ち上がる接触部１２ｄｂ１が形成されている。接触部１２ｄｂ１は、装着孔１５の約３／5ぐらいの高さに位置する。第二弾性接触部１２ｄｂの接触部１２ｄｂ１は、第一弾性接触部１２ｄａの接触部１２ｄａ１より高位にして第一弾性接触部１２ｄａより撓み量を多くし、カード装着時に、後述する一端固定・他端支持の梁構造とみなせる第一弾性接触部１２ｄａのばね定数が高くなるので、両方の付勢力を同等にしている。
【００３６】
載置されたカード２は、まず第二弾性接触部１２ｄｂの接触部１２ｄｂ１を自らの重みで下方に付勢し、閉じられたシールドカバー１４によって更にカードが下方に変位する。この時、下方に変位したカード２の各電極２１によって、第一、第二弾性接触部１２ｄａ、１２ｄｂの接触部１２ｄａ１、１２ｄｂ１がともに対応する電極２１によって下方に付勢され、第一、第二弾性接触部１２ｄａ，１２ｄｂが下方に撓み、第一弾性接触部１２ｄａの基板付勢部１２ｄａ２だけが下方に撓んだ分の弾性力で基板３を付勢する。
よって、第一弾性接触部１２ｄａと第二弾性接触部１２ｄｂの各接触部１２ｄａ１、１２ｄｂ１が、カード２の各々の電極２１を付勢するカード２装着時には、第一弾性接触部１２ｄａ及び第二弾性接触部１２ｄｂの接触部１２ｄａ１、１２ｄｂ１は、カード２の対応する一つの電極２１に接続し、第一弾性接触部１２ｄａの基板付勢部１２ｄａ２は、基板３と接続し、カード２の電極２１と実装部１２ｂが接続された基板３の電極がコンタクト１２を介して接続される。
また、第一及び第二弾性接触部１２ｄｂの接触部１２ｄａ１、１２ｄｂ１が、カード２の電極２１を付勢するカード装着時には、第一弾性接触部１２ｄａは、固定部１２ａ側端部がハウジング１０に固定されており、第一弾性接触部１２ｄａの先端にある基板付勢部１２ｄａ２は基板３を弾性付勢しているので、一端固定・他端支持の梁の弾性変形構造とみなすことができ、第二弾性接触部１２ｄｂは、固定部１２ａ側端部がハウジング１０に固定されており、第二弾性接触部１２ｄｂの先端は自由端になっているので、一端固定の片持梁の弾性変形構造とみなすことができる。したがって、二又の弾性接触部１２ｄは、第一弾性接触部１２ｄａの固有振動数が、第二弾性接触部１２ｄｂの固有振動数より約３倍とすることができるので、一定時間の間、振動数がほぼ一定で振幅減衰させる単発の衝撃が加えられても、第一弾性接触部１２ｄａと第二弾性接触部１２ｄｂの固有振動数が大幅にずれているので、確実にどちらかは共振せずに接触を続け、結果として瞬断を防ぐことができる。
【００３７】
尚、本実施例においては、実装部１２ｂを半田付けしているが、実施例３のように、実装部１２ｂを設けず、基板３の電極３１に半田付けしなくとも良い。基板３の電極３１を第一弾性接触部１２ｄａの基板付勢部１２ｄａ２が臨む位置に設ければ、カード装着の際には、第一弾性接触部１２ｄａと第二弾性接触部１２ｄｂの接触部１２ｄａ１、１２ｄｂ１とカード２の電極２１とが接続され、第一弾性接触部１２ｄａの基板付勢部１２ｄａ２と基板３の電極３１とを接続とが接続されるので、コンタクト１２を介してカード２を接続することができる。
【図面の簡単な説明】
【００３８】
【図１】本発明の一実施形態である第一実施形態のコネクタのシールドカバー１４を閉じた状態の（a）を示す正面図、（ｂ）背面図、（ｃ）底面図、（ｄ）平面図、（e）左側面図と対称である右側面図である。
【図２】本発明の一実施形態である第一実施形態のコネクタを図１の（a）正面側斜視図、（ｂ）背面側斜視図示す正面図である。
【図３】第一実施形態のシールドカバー１４を除いたコネクタの（a）正面側斜視図、（ｂ）背面側斜視図である。
【図４】第一実施形態に用いたスイッチコンタクト１３の（a）正面図、（ｂ）右側面図、（ｃ）底面図、（ｄ）正面側斜視図である。
【図５】図１のA-A断面図である。
【図６】第一実施形態において相手側接続体２を装着したコネクタの図１のA-A断面図である。
【図７】第一実施形態における相手側接続体２の（a）正面図、（ｂ）背面図、（ｃ）右側面図、（ｄ）底面図である。
【図８】第二実施形態において相手側接続体２を装着したコネクタの図１記載のA-A線と同箇所の断面図である。
【図９】第三実施形態における相手側接続体２を装着したコネクタの図１記載のA-A線と同箇所の断面図である。
【図１０】第三実施形態に用いたスイッチコンタクト１３の（a）正面図、（ｂ）右側面図、（ｃ）底面図、（ｄ）正面側斜視図である。
【図１１】本発明の第五実施形態のシールドカバー１４を除いたコネクタの（a）正面図である。（ｂ）は、第四実施形態におけるコンタクト１２の正面図で、（ｃ）は、同実施形態コンタクト１２の右側面図である。
【符号の説明】
【００３９】
１  コネクタ
１０  ハウジング
１０a  被係止部
１１  プレート
１１ａ  固定部
１１ｂ  軸受部
１２  コンタクト
１２ａ  固定部
１２ｂ  実装部
１２ｃ  弾性変形部
１２ｄ  二又弾性接触部
１２ｄａ  第１弾性接触部
１２ｄａ１  接触部
１２ｄａ２  基板付勢部
１２ｄｂ  第2弾性接触部
１２ｄｂ１  接触部
１３  スイッチコンタクト
１３ａ  固定部
１３ｂ  実装部
１３ｃ  弾性変形部
１３ｄ  二又弾性接触部
１３ｄａ  第１弾性接触部
１３ｄａ１  接触部
１３ｄａ２  基板付勢部
１３ｄｂ  第2弾性接触部
１３ｄｂ１  接触部
１３ｄｃ  第３弾性接触部
１３ｄｃ１  接触部
１３ｄｃ２  基板付勢部
１３ｅ  三又弾性接触部
１４  シールドカバー
１４a  軸
１４ｂ  係止部
１４ｃ  端部
１５  装着孔
２  カード型電子記憶媒体
２１  電極
２２  スイッチ用電極（第二電極）
３  基板
３１  電極
４  カード検出回路
４１  第一電極
４２  第二電極
【図１】
0005488876.tif 000002
【図２】
0005488876.tif 000003
【図３】
0005488876.tif 000004
【図４】
0005488876.tif 000005
【図５】
0005488876.tif 000006
【図６】
0005488876.tif 000007
【図７】
0005488876.tif 000008
【図８】
0005488876.tif 000009
【図９】
0005488876.tif 000010
【図１０】
0005488876.tif 000011
【図１１】
0005488876.tif 000012